【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
気圧（ｐＤ）の圧縮気体（ＧＤ）を往復動ピストンマシン（２）を用いて膨張させるための方法であって、前記往復動ピストンマシン（２）は往復して可動なピストン（４）と前記可動なピストン（４）により範囲を定められる作動室（５）とを備え、前記圧縮気体（ＧＤ）は作動可能な回転摺動バルブ（６）を介して作動室（５）に送出され、前記作動室（５）に存在する前記圧縮気体（ＧＤ）は前記作動室（５）において膨張する、方法。
【請求項２】
前記回転摺動バルブ（６）が閉鎖され、閉鎖された前記回転摺動バルブ（６）にわたって広がる圧力差は、前記作動室（５）における気体残分（ＧＲ）を圧縮することにより低下し、前記回転摺動バルブ（６）は前記圧力差が低下している時に開放される、請求項１に記載の方法。
【請求項３】
気体が第２バルブ（７）を介して前記作動室（５）から放出され、前記第２バルブ（７）は、前記気体残分（ＧＲ）が前記作動室（５）に存在する第２バルブ閉鎖角（Ｐ２）にて閉鎖される、請求項２に記載の方法。
【請求項４】
前記回転摺動バルブ（６）は、上死点（Ｐ３）の後に、気体膨張分（ＧＥ）が前記作動室（５）に存在する第１バルブ閉鎖角（Ｐ４）にて閉鎖され、前記気体膨張分（ＧＥ）は、次に、前記気体が膨張気圧（ｐＥ）を有するように前記作動室（５）において膨張し、前記第２バルブ（７）が閉鎖されている下死点（Ｐ１）の領域において前記作動室（５）に広がる前記膨張気圧（ｐＥ）は、パラメータのうちの１つ以上、すなわち、第１バルブ閉鎖角（Ｐ４）と気体膨張分（ＧＥ）とのうちの１つ以上により決定される、請求項３に記載の方法。
【請求項５】
前記第２バルブ閉鎖角（Ｐ２）は、前記上死点（Ｐ３）の領域において、閉鎖された前記回転摺動バルブ（６）にわたって広がる差圧が最小化されるように選択される、請求項４に記載の方法。
【請求項６】
前記第１バルブ閉鎖角（Ｐ４）は、下死点（Ｐ１）の領域において、閉鎖された前記第２バルブ（７）にわたって広がる差圧が最小化されるように選択される、請求項４または５に記載の方法。
【請求項７】
前記回転摺動バルブ（６）は、前記上死点（Ｐ３）の領域において、ほぼ差圧なく開放される、請求項５に記載の方法。
【請求項８】
前記第２バルブ（７）は、前記下死点（Ｐ１）の領域において、ほぼ差圧なく開放される、請求項６に記載の方法。
【請求項９】
前記第２バルブ閉鎖角（Ｐ２）は、前記回転摺動バルブ（６）が閉鎖された状態において、前記作動室（５）における前記気体残分（ＧＲ）が、前記圧縮気体（ＧＤ）の前記気圧（ｐＤ）を上回る、上死点（Ｐ３）の領域における気圧を有するように選択される、請求項４に記載の方法。
【請求項１０】
導出圧力（ｐＡ）は前記第２バルブ（７）の導出部に広がり、前記第１バルブ閉鎖角（Ｐ４）は、前記第２バルブ（７）が閉鎖された状態において、上死点（Ｐ１）の領域における前記気体膨張分（ＧＥ）が前記導出圧力（ｐＡ）未満である膨張気圧（ｐＥ）を有するように選択される、請求項４に記載の方法。
【請求項１１】
前記回転摺動バルブ（６）と前記第２バルブ（７）とのうち一方または両方は、ポート（１２ａ）と該ポート（１２ａ）を閉鎖するための閉鎖要素（１３）とを有するバルブシート（１２）を備えており、
回転摺動バルブ（６）の前記閉鎖要素（１３）が、前記上死点（Ｐ３）の領域において前記気体残分（ＧＲ）の前記気圧に起因して前記バルブシート（１２）に対し自動的に持ち上がるか、前記第２バルブ（７）の前記閉鎖要素（１３）が、前記下死点（Ｐ１）の領域において前記気体膨張分（ＧＥ）の前記気圧に起因して前記バルブシート（１２）に対し自動的に持ち上がるか、またはその両方である、請求項９または１０に記載の方法。
【請求項１２】
前記第２バルブ（７）は第２回転摺動バルブとして設計され、前記バルブシート（１２）から自動的に持ち上がった後に、前記回転摺動バルブ（６）の前記閉鎖要素（１３）、前記第２回転摺動バルブ（７）の前記閉鎖要素（１３）、またはその両方が、前記ポート（１２ａ）を露出するように制御可能に回転する、請求項１１に記載の方法。
【請求項１３】
前記回転摺動バルブ（６）、前記第２バルブ（７）、またはその両方は、強制的に開放、閉鎖、またはその両方が行われる、請求項３〜１２のいずれか一項に記載の方法。
【請求項１４】
前記回転摺動バルブ（６）の処理パラメータ設定（ＶＳ）は予め定められ、前記第２バルブ閉鎖角（Ｐ２）は連続する持ち上がりサイクル中に変化し、前記回転摺動バルブ（６）の処理パラメータ実際値（ＶＩ）は前記第２バルブ閉鎖角（Ｐ２）の関数として測定され、前記処理パラメータ実際値（ＶＩ）が前記処理パラメータ設定（ＶＳ）の最も近くにある前記第２バルブ閉鎖角（Ｐ２）は、第２バルブ設定閉鎖角（Ｐ２Ｓｏｌｌ）として定められ、前記第２バルブ（７）は、前記第２バルブ設定閉鎖角（Ｐ２Ｓｏｌｌ）にて制御可能に閉鎖される、請求項３〜１３のいずれか一項に記載の方法。
【請求項１５】
前記圧縮気体（ＧＤ）は、連続して接続された２つ以上の往復動ピストンマシン（２）によって、気圧（ｐＤ）の前記圧縮気体（ＧＤ）を第１往復動ピストンマシン（２ａ）において第１膨張気圧（ＰＥ１）に膨張させることによって、また前記第１膨張気圧（ＰＥ１）の気体（Ｇ）を第２往復動ピストンマシン（２ｂ）において第２膨張気圧（ＰＥ２）に膨張させることによって、膨張する、請求項３〜１４のいずれか一項に記載の方法。
【請求項１６】
前記送出を制御するために、前記回転摺動バルブ（６）は、最大可能気体膨張分（ＧＥＭＡＸ）未満である部分的な気体膨張分（ＧＴＥ）しか前記作動室（５）に存在しない第１バルブ閉鎖角（Ｐ‘４）にて早く閉鎖される、請求項３〜１５のいずれか一項に記載の方法。
【請求項１７】
前記送出を制御するために、前記第２バルブ（７）は、前記気体残分（ＧＲ）を上回る過剰気体量（ＧＲＺ）が前記作動室（５）に存在する第２バルブ閉鎖角（Ｐ‘２）にて早く閉鎖される、請求項３〜１６のいずれか一項に記載の方法。
【請求項１８】
往復動ピストンマシン（２）を用いて気体（Ｇ）を膨張させるためおよび圧縮するための方法であって、前記気体（Ｇ）は、気圧（ｐＤ）の圧縮気体（ＧＤ）を形成するように前記往復動ピストンマシン（２）によって圧縮され、前記圧縮気体（ＧＤ）は、請求項３〜１７のいずれか一項に記載の方法によって膨張する、方法。
【請求項１９】
前記往復動ピストンマシン（２）は、内部室（５）を第１内部室（５ａ）と第２内部室（５ｂ）とに分割する複動式ピストン（４）と、各内部室（５ａ，５ｂ）に割り当てられている回転バルブ（６）および第２バルブ（７）と、を備え、前記圧縮気体（ＧＤ）を前記第１内部室（５ａ）に形成するように前記気体が圧縮されるのと同時に、前記圧縮気体（ＧＤ）が前記第２内部室（５ｂ）において膨張する、請求項１８に記載の方法。
【請求項２０】
前記往復動ピストンマシン（２）は連続動作を行い、前記連続動作において、前記往復動ピストンマシン（２）は、前記回転摺動バルブ（６）および前記第２バルブ（７）の対応する作動により、往復動ピストンエキスパンダ、往復動ピストンコンプレッサ、またはその両方として動作する、請求項１８または１９に記載の方法。
【請求項２１】
圧縮気体（ＧＤ）を膨張させるためのデバイスであって、往復して可動なピストン（４）と前記可動なピストン（４）により範囲を定められる作動室（５）とを備える往復動ピストンマシン（２）を備え、作動可能な回転摺動バルブ（６）と作動可能な第２バルブ（７）とを備え、前記回転摺動バルブ（６）と前記第２バルブ（７）とを作動させるための作動デバイス（１００）を備え、前記圧縮気体（ＧＤ）は前記回転摺動バルブ（６）を介して前記作動室（５）に送出され、前記作動室に存在する前記圧縮気体（ＧＤ）は前記作動室（５）において膨張することが可能であり、前記作動室（５）に存在する膨張気体は前記第２バルブ（７）を介して放出されることが可能であり、前記作動デバイス（１００）は、上死点（Ｐ３）まで前記作動室（５）に存在する気体残分（ＧＲ）を圧縮することによって前記上死点（Ｐ３）の領域において前記回転摺動バルブ（６）に広がる圧力差（ＤＤ）を低下させるように、前記上死点（Ｐ３）に達する前にすでに能動的に前記第２バルブ（７）を閉鎖する、デバイス。
【請求項２２】
前記回転摺動バルブ（６）および前記作動可能な第２バルブ（７）は、閉鎖要素（１３）とバルブシート（１２）とを備える回転摺動バルブ（１０）として設計され、前記閉鎖要素（１３）は回転可能に配置されており動作駆動部（１５）により駆動される、請求項２１に記載のデバイス。
【請求項２３】
前記閉鎖要素は、該閉鎖要素が前記バルブシート（１２）に対し垂直に自動的に可動であるように支持され、その結果、前記閉鎖要素（１３）は、前記回転摺動バルブ（１０）に対して作用する前記圧力差に応じて、前記バルブシート（１２）上に位置するか、または前記バルブシート（１２）に対して持ち上がる、請求項２２に記載のデバイス。